(57)【要約】      （修正有）【課題】効率的且つ安全なジブストラットの組立方法を提供する。【解決手段】第１のストラット２７をブーム２２の端部に枢動自在に接続するステップと、第２のストラット２９の第１の部分１２６、１２７をブーム２２の上端近傍に枢動自在に接続するステップと、索具取付けウインチライン１１１を第１の部分１２６，１２７の上端に接続するステップと、第２のストラット２９の第２の部分１２８，１２９を、第２の部分１２８，１２９が第１の部分１２６，１２７の上に折り重なって載り、折り畳まれた第２のストラット２９を形成するように第１の部分１２６，１２７に枢動自在に取り付けるステップと、索具取付けウインチライン１１１を引き込みながら第２の部分１２８，１２９を引き上げるステップによって第１の部分１２６，１２７と第２の部分１２８，１２９とを互いに整列した状態にする。【選択図】図９
2010241604.tif 000002
【特許請求の範囲】
【請求項１】
移動式リフトクレーンの組立て方法であって、前記リフトクレーンが、動作中、ｉ）起伏ジブ巻上げドラム及び起伏ジブ巻上げラインと、索具取付けウインチドラム及び索具取付けウインチラインとが取り付けられた回転台と、ｉｉ）前記回転台に枢動自在に装着されたブームと、ｉｉｉ）前記ブームの端部に枢動自在に装着された起伏ジブと、ｉｖ）同様に前記ブームの前記端部に枢動自在に接続された第１のストラットと、ｖ）前記第１のストラットの接続点より下側で前記ブームに接続された第２のストラットとを含み、前記方法は、
ａ）前記第１のストラットを前記ブームの前記端部に枢動自在に接続するステップと、
ｂ）前記第２のストラットの第１の部分を前記ブームの上端近傍に枢動自在に接続するステップと、
ｃ）前記索具取付けウインチラインを前記第１の部分の前記上端に接続するステップと、
ｄ）前記第２のストラットの第２の部分を、前記第２の部分が前記第１の部分の上に折り重なって、折り畳まれた第２のストラットを形成するように、前記第１の部分に枢動自在に取り付けるステップと、
ｅ）前記索具取付けウインチラインを引き込みながら前記第２の部分を引き上げるステップであって、それによって前記第１の部分と前記第２の部分とを互いに整列した状態にするステップと、
を含む、方法。
【請求項２】
前記リフトクレーンが、動作中、ｖｉ）前記第２のストラットと前記ブームとの間に接続されたストラットストッパをさらに備え、且つ、前記第１のストラット及び前記第２のストラットが、それぞれそこに取り付けられた第１のキャップ及び第２のキャップを備え、その各々は複数のシーブを有する、請求項１に記載の方法であって、
前記第１のストラットキャップ及び前記第２のストラットキャップの各々の前記複数のシーブに、前記起伏ジブ巻上げラインを掛け回すステップと、
前記ブームと前記第２のストラットストッパの前記第１の部分との間に前記ストラットストッパを接続するステップと、
をさらに含む、方法。
【請求項３】
前記起伏ジブ巻上げラインを掛け回すステップが、前記起伏ジブ巻上げラインの終端を前記ストラットキャップの一方又は前記ストラットの一方に接続することを含む、請求項２に記載の方法であって、
前記第２のストラットの前記第１の部分と前記第２の部分との間の少なくとも１つの接続についてピン固定を外すステップと、
前記索具取付けウインチラインを前記第１の部分から取り外すステップと、
をさらに含む、方法。
【請求項４】
ステップ（ｅ）の前に、前記第２のストラットの前記掛け回された第２のキャップを前記第２の部分の上端に接続するステップをさらに含む、請求項３に記載の方法。
【請求項５】
前記第２の部分を引き上げるステップが、補助クレーンを用いて、前記索具取付けウインチラインを引き込みながら、前記第２の部分のストラットトップに取り付けられた持上げ用ペンダントを引き上げ、前記第１の部分と前記第２の部分とを互いに整列した状態にすることを含む、請求項４に記載の方法。
【請求項６】
前記リフトクレーンが、動作中、ｖｉｉ）前記ブームの下端と前記第２のストラットに取り付けられた前記第２のキャップとの間に接続された少なくとも１つのジブバックステイストラップをさらに備える、請求項４に記載の方法であって、前記第２のキャップを前記第２のストラットに接続する前に、
前記少なくとも１つのジブバックステイストラップの部分材を前記第２のストラットキャップに接続するステップと、
前記第２のストラットキャップの前記少なくとも１つのジブバックステイストラップの前記部分材を、前記ブームの下端に取り付けられた前記少なくとも１つのジブバックステイストラップの複数のさらなる部分材に接続するステップと、
をさらに含む、方法。
【請求項７】
移動式リフトクレーンの組立て方法であって、前記リフトクレーンが、動作中、ｉ）回転台と、ｉｉ）前記回転台に枢動自在に装着されたブームと、ｉｉｉ）前記ブームの端部に枢動自在に装着された起伏ジブと；ｉｖ）同様に前記ブームの前記端部に枢動自在に接続された第１のストラットであって、シーブを有する第１のストラットキャップを備える第１のストラットと、ｖ）前記第１のストラットの前記接続点より下側で前記ブームに接続された第２のストラットであって、シーブを有する第２のストラットキャップを備える第２のストラットとを含み、前記方法が、
ａ）前記第１のストラットを、第１のラインが掛け回された前記第１のストラットキャップ及び前記第２のストラットキャップと共に、前記ブームの前記端部に接続するステップと、
ｂ）第２のラインを前記第１のラインの端部に接続するステップであって、前記第２のラインは、固定化されたドラムフレームに装着された回転自在ドラムに巻回されている、ステップと、
ｃ）前記第１のラインを取り出すステップであって、それにより前記シーブを通して前記第２のラインを引き寄せることで、前記第１のストラットキャップ及び前記第２のストラットキャップに前記第２のラインを掛け回すステップと、
を含む、方法。
【請求項８】
前記移動式リフトクレーンを組み立てる前に、
前記第２のストラットの遠位端から切り離され、且つ前記第１のラインを使用して前記第１のストラットキャップと一体に掛け回された前記第２のストラットキャップを、作業現場まで輸送するステップと、
前記第１のストラット及び前記第２のストラットを前記作業現場まで輸送するステップと、
をさらに含む、請求項７に記載の方法。
【請求項９】
輸送中、前記第１のストラットキャップが前記第１のストラットの遠位端に接続されている、請求項８に記載の方法。
【請求項１０】
ステップｂ）がステップａ）の前に行われる、請求項８に記載の方法。
【請求項１１】
前記リフトクレーンが、動作中、ｖｉ）起伏ジブ巻上げドラム及び起伏ジブ巻上げラインと、ｖｉｉ）索具取付けウインチドラム及び索具取付けウインチラインとをさらに含み、各ドラムは前記回転台に取り付けられ、前記第２のラインは前記ジブ巻上げラインを含み、及び前記第１のラインを取り出すステップが、
前記索具取付けウインチラインを前記第１のラインの第２の端部に接続するステップと、
前記索具取付けウインチラインを引き込むことによって前記第１のラインを前記ストラットキャップの前記複数のシーブから取り出し、その一方で前記起伏ジブ巻上げラインを掛け回すステップと、
前記起伏ジブ巻上げラインを前記第１のラインと切り離すステップと、
前記起伏ジブ巻上げラインの終端を前記ストラットの、又は前記ストラットキャップの一方に接続するステップと、
を含む、請求項７に記載の方法。
【請求項１２】
前記リフトクレーンが、動作中、ｖｉ）起伏ジブ巻上げドラム及び起伏ジブ巻上げラインと、ｖｉｉ）索具取付けウインチドラム及び索具取付けウインチラインとをさらに含み、各ドラムは前記回転台に取り付けられ、前記第２のラインは前記索具取付けウインチラインを含む、請求項７に記載の方法であって、
前記起伏ジブ巻上げラインを前記索具取付けウインチラインの端部に接続するステップと、
前記索具取付けウインチラインを引き込み、前記ストラットキャップの前記複数のシーブに前記起伏ジブ巻上げラインを掛け回すステップと
前記起伏ジブ巻上げラインを前記索具取付けウインチラインと切り離すステップと、
前記起伏ジブ巻上げラインの終端を前記ストラットの、又は前記ストラットキャップの一方に接続するステップと、
をさらに含む、方法。
【請求項１３】
前記リフトクレーンが、動作中、ｖｉ）前記主ストラットと前記ブームとの間に接続されたストラットストッパと、ｖｉｉ）起伏ジブ巻上げドラム及び起伏ジブ巻上げラインと、ｖｉｉｉ）索具取付けウインチドラム及び索具取付けウインチラインとをさらに含み、各ドラムは前記回転台に取り付けられ、前記第２のラインは前記ジブ巻上げラインを含む、請求項７に記載の方法であって、
ｄ）前記第２のストラットの第１の部分を前記ブームの上端近傍に枢動自在に接続するステップと、
ｅ）前記ブームと前記第１の部分との間に前記ストラットストッパを接続するステップと、
ｆ）前記索具取付けウインチラインを前記第１の部分の上端に取り付けるステップと、
ｇ）前記第２のストラットの第２の部分を、前記第２の部分が前記第１の部分の上に折り重なって、折り畳まれた第２のストラットを形成するように、前記第１の部分に枢動自在に取り付けるステップと、
ｈ）少なくとも１つのジブバックステイストラップの部分材を前記第２のストラットキャップに接続するステップと、
ｉ）前記起伏ジブ巻上げラインを繰り出しながら、補助クレーンを用いて前記第２のストラットキャップを引き上げるステップであって、それにより前記第２のストラットキャップを垂直方向に持ち上げ、前記掛け回された第１のキャップと第２のキャップとの間に弛みを設けるステップと
ｊ）前記第２のストラットキャップを前記第２の部分の上端にピン固定するステップと、
をさらに含む、方法。
【請求項１４】
ステップｄ）の前に、前記起伏ジブ巻上げラインを前記第１のストラットの側部に退けた位置に置くステップと、
ステップｉ）及びステップｊ）の前に、前記起伏ジブ巻上げラインを前記第２のストラットの前記第２の部分の上に載せるステップと、
をさらに含む、請求項１３に記載の方法。
【請求項１５】
前記ブームの長さに応じて前記少なくとも１つのジブバックステイストラップの部分材の数を選択するステップ、
をさらに含む、請求項１３に記載の方法。
【請求項１６】
前記少なくとも１つのジブバックステイストラップの部分材を、前記ブームの下端に取り付けられた前記少なくとも１つのジブバックステイストラップの複数のさらなる部分材に接続するステップと、
前記第２の部分の端部に取り付けられた持上げ用ペンダントに前記補助クレーンのラインを接続するステップと、
前記持上げ用ペンダントに接続された前記補助クレーンを用いて前記第２の部分を持ち上げながら、前記索具取付けウインチラインを引き込んで前記第１の部分と前記第２の部分とを互いに整列した状態にするステップと、
をさらに含む、請求項１３に記載の方法。
【請求項１７】
前記第２のストラットの前記第１の部分と前記第２の部分との間の少なくとも１つの接続についてピン固定を外すステップと、
前記索具取付けウインチラインと前記補助クレーンラインとを切り離すステップと、
をさらに含む、請求項１６に記載の方法。
【請求項１８】
前記ジブストラットと前記起伏ジブの上端との間に少なくとも１つのジブ支持ストラップの複数の部分材を接続するステップと、
前記起伏ジブの下端を前記ブームの上端に接続するステップと、
をさらに含む、請求項１６に記載の方法。
【請求項１９】
移動式リフトクレーンを分解して作業現場から輸送する方法であって、前記リフトクレーンが、動作中、ｉ）一対の起伏ジブストラットと；ｉｉ）各ストラットに取り付けられたキャップであって、各々が複数のシーブを有するキャップと、ｉｉｉ）各ストラットキャップの前記複数のシーブに掛け回された起伏ジブ巻上げラインとを含み、前記方法が、
ａ）前記起伏ジブストラットの一方から少なくとも１つのストラットキャップを取り外すステップと、
ｂ）前記ストラットキャップが互いに隣接するまで前記起伏ジブ巻上げラインを引き込むステップと、
ｃ）前記ストラットキャップを、互いに掛け回されたままの状態であるよう互いに隣接した状態に保持するステップと、
ｄ）前記一対の掛け回されたキャップを一緒に前記作業現場から輸送するステップと、
を含む、方法。
【請求項２０】
前記一対の起伏ジブストラットが、動作中、前記リフトクレーンのブームに枢動自在に接続された第１のストラット及び第２のストラットを含み、前記起伏ジブ巻上げラインが、前記ストラットの、又は前記ストラットキャップの一方を終端とし、及び前記第２のストラットキャップが、前記第１のストラットキャップ又は前記第１のストラットのストラットトップから取り外されたり、そこに接続されたりする、請求項１９に記載の方法であって、
ｅ）第１のラインを前記起伏ジブ巻上げラインの終端に接続するステップと、
ｆ）前記起伏ジブ巻上げラインを、それが前記ストラットキャップから離脱し、且つ前記第１のラインが前記第１のストラットキャップ及び前記第２のストラットキャップの前記複数のシーブに掛け回されるまで、引き込むステップと、
ｇ）前記第１のストラット並びに前記掛け回された第１のストラットキャップ及び第２のストラットキャップを一緒に前記作業現場から輸送するステップと、
をさらに含む、方法。
【請求項２１】
前記作業現場からの輸送中、前記ストラットキャップが互いに接続されている、請求項１９に記載の方法。
【請求項２２】
前記起伏ジブ巻上げラインが、前記ストラットキャップの一方を終端とし、前記ストラットキャップの双方が、そのそれぞれのストラットから取り外される、請求項１９に記載の方法であって、
ｅ）前記クレーンのブームに取り付けられた複数のワイヤガイドから、前記起伏ジブ巻上げラインを取り外すステップであって、前記ワイヤガイドが、前記起伏ジブ巻上げラインをそこに送り通すことなく外せるように設計される、ステップと、
ｆ）前記一対のストラットキャップが前記リフトクレーンの起伏ジブ巻上げドラムに隣接するまで、前記起伏ジブ巻上げラインを引き込むステップと、
ｇ）前記接続されたキャップを前記起伏ジブ巻上げドラムのフレームに取り付けるステップと、
ｈ）前記一対の掛け回されたキャップを前記起伏ジブ巻上げドラムと共に前記作業現場から輸送するステップと、
をさらに含む、方法。
【請求項２３】
移動式リフトクレーンを輸送し、組み立てる方法であって、前記リフトクレーンが、動作中、ｉ）回転台と、ｉｉ）前記回転台に枢動自在に装着されたブームと、ｉｉｉ）前記ブームの端部に枢動自在に装着された起伏ジブと、ｉｖ）同様に前記ブームの端部に枢動自在に接続された第１のストラットであって、第１のストラットキャップを備える第１のストラットと、ｖ）前記第１のストラットの接続点より下側で前記ブームに接続された第２のストラットであって、第２のストラットキャップを備える第２のストラットと、ｖｉ）起伏ジブ巻上げドラム及び起伏ジブ巻上げラインであって、前記起伏ジブ巻上げドラムが前記回転台に取り付けられている、起伏ジブ巻上げドラム及び起伏ジブ巻上げラインと、を含み、前記方法が、
ａ）前記第１のストラット及び前記第２のストラットから取り外された前記第１のストラットキャップ及び前記第２のストラットキャップを、前記起伏ジブ巻上げドラムと共に作業現場に輸送するステップであって、前記起伏ジブ巻上げラインが前記第１のストラットキャップ及び前記第２のストラットキャップのシーブに掛け回されている、ステップと、
ｂ）前記第１のストラット及び前記第２のストラットを前記作業現場に輸送するステップと、
ｃ）前記第２のストラットキャップに掛け回したまま、前記第１のストラットキャップを前記第１のストラットの端部に接続するステップと、
ｄ）前記第１のストラットを前記ブームの前記端部に接続するステップと、
を含む、方法。
【請求項２４】
ステップｄ）がステップｃ）の前に行われる、請求項２３に記載の方法。
【請求項２５】
ａ）第１の着脱可能なジブストラットキャップ及び第２の着脱可能なジブストラットキャップであって、各々が、
ｉ）複数のシーブと、
ｉｉ）一対のサイドブラケットであって、各々が、前記ストラットキャップを移動式リフトクレーンの第１の起伏ジブストラットに取外し可能に取り付けるための第１の開口を有するサイドブラケットと、
ｉｉｉ）他方のストラットキャップ又は第２の起伏ジブストラットのストラットトップにピン固定するための第１の開口を有する第１の突出部と、
を含む、第１のストラットキャップ及び第２のストラットキャップと、
ｂ）前記第１のストラットキャップ及び前記第２のストラットキャップの各々の前記複数のシーブに掛け回されたワイヤロープと、
を含む、ストラットキャップアセンブリ。
【請求項２６】
前記アセンブリが、
その上端に前記第１のストラットキャップが取り付けられたストラットであって、前記ストラットは前記第１のストラットキャップの近傍のその側部に一対の第２の突出部を備え、前記一対の第２の突出部が第２の開口を有するストラットをさらに含み、前記第２のストラットキャップの前記サイドブラケットが、前記第１の開口及び前記第２の開口を通じて前記第２の突出部に取り付けられる、請求項２５に記載のストラットキャップアセンブリ。
【請求項２７】
前記第２のストラットキャップの前記第１の突出部が、前記第１の開口を通じて前記ストラットトップに取り付けられる、請求項２６に記載のストラットキャップアセンブリ。
【発明の詳細な説明】
【技術分野】
【０００１】
本開示は、クレーンに起伏ジブが用いられる場合に、索具取付けウインチドラム及び索具を使用することによって折り畳み式ジブ主ストラットの組み立てを促進する移動式リフトクレーンに関する。さらに、本開示は、作業現場に搬入したり、又はそこから搬出したりする間、ストラットキャップのシーブを掛け回したままにしておくことが可能であり、そのため、新しい作業現場でストラットキャップの掛け回しを再度行わなくてもすむ方法による、作業現場における起伏ジブストラットの分解及び組立に関する。
【背景技術】
【０００２】
移動式リフトクレーンは、典型的には、可動地面係合部材を有するカーボディと；地面係合部材に対して旋回することができるようにカーボディに回転自在に接続される回転台と；回転台の前部に枢動自在に装着されたブームであって、荷重巻上げラインがそこから伸張するブームと、クレーンが荷重を吊り上げるときにクレーンの平衡を補助するカウンタウェイトとを備える。加えて、クレーンが特に高層の建築物若しくは構造物、又は限られた空間内で作業する必要があるときには、所要のリーチを提供するため、ブームの上端に枢動自在に装着された起伏ジブが伸長され得る。起伏ジブが用いられる場合、ブームの上端又は起伏ジブの下端に１本又は複数の起伏ジブストラットが接続される。これらのストラットは、起伏ジブ索具装置及びバックステイストラップを支持するもので、ジブを起立させて、起伏ジブにより吊り上げられる荷重を支持するための力を加えることができるよう、モーメントアームを提供する。
【０００３】
クレーンは様々な場所で使用され得るため、ある作業現場から次の作業現場へと輸送することができるように設計される必要がある。これにより通常、クレーンは、公道の輸送制限内でトラックにより輸送することができるサイズ及び重量の構成要素に解体されることが求められる。クレーンの解体及び設置の容易さは、クレーンの全体的な使用コストに影響を有する。従って、クレーンの設置に必要な工数を減らすことが求められる点で、クレーンの所有者又は借主には直接的な利益がある。起伏ジブ索具装置がストラット間に複数の索線部品を含む場合、通常、各ストラットキャップは複数のシーブを備え、クレーンを設置する度にそれらにジブ巻上げラインを掛け回さなくてはならず、これには多大な時間がかかる。
【０００４】
過去には、起伏ジブをその起伏ジブストラットと組み立てるためのいくつかの方法が用いられている。それらの方法のうちの少なくとも１つは、組み立てられたジブストラットをブームの端部に取り付け、ジブストラットのキャップにジブ巻上げラインを掛け回すことを含む。この掛け回しプロセスは時間がかかる。次に、ブームの基部に接続されたバックステイ懸架部を主ストラットの上端にピン固定することができる点まで、補巻上げラインを使用して２本のジブストラット（ジブ主ストラット）の上端を補助クレーンによって起立させながら、中間に引き寄せ得る。補助クレーンは、この引き上げる動作を実施するため、引き上げながら移動しなければならず、組立て作業者は、バックステイ懸架部のピン固定において地上から離れて高所で作業する必要があり、これはプロセスを長引かせるとともに、組立て作業者をさらなる危険にさらし得る。
【先行技術文献】
【特許文献】
【０００５】
【特許文献１】米国特許出願第１２／０２３，９０２号明細書
【特許文献２】米国特許出願第６１／０９８，６３２号明細書
【発明の概要】
【課題を解決するための手段】
【０００６】
従って、本開示は、ジブストラットの組立て方法をより効率的且つより安全なものとすることによる、これまでの方法に伴う上記の欠点に対する解決策を含む。例えば、作業現場においてクレーンを設置する間に、ジブストラットキャップを再度掛け回す必要がなくなり、主ストラットを立ち上げるときに補助クレーンを移動させなくともよく、且つ地面により近いところで組み立てステップが行われ得る。
【図面の簡単な説明】
【０００７】
【図１】本開示の起伏ジブシステムを利用する移動式リフトクレーンの好ましい実施形態の側面立面図である。
【図２】図１のクレーンの拡大した側面立面図であり、明確にするため構成要素の一部は省略している。
【図３】ジブ巻上げドラムと、図１のクレーンの一対の取り外されたストラットキャップに掛け回されたそのジブ巻上げラインとの側面図であり、第１の輸送形態の実施形態を示す。
【図４】図１のジブストラットの側面図であって、主ストラットのストラットキャップがジブストラットのストラットキャップと共に掛け回され、且つそこに取り付けられており、第２の輸送形態の実施形態を示す。
【図５】図１のジブストラットの側面立面図であって、主ストラットのストラットキャップがジブストラットの側部に取り付けられ、且つジブストラットのストラットキャップと共に掛け回されており、第３の輸送形態の実施形態を示す。
【図６】図６〜図１５は、図１のクレーンの側面立面図であり、段階を追ってジブストラットの組立てを示す。図６は、取り付けられたジブストラットと、ジブストラットキャップへのジブ巻上げラインの迅速な掛け回しを示す。
【図７】主ストラットのうち、組み立てられた主ストラット突合せ部と第１のインサートとを含む第１のストラット部分の、ブームの上端との枢動接続を示す。
【図８】ブームと主ストラット突合せ部との間へのストラットストッパのテレスコープ式の取付け、及び第１のインサートの上端との索具取付けウインチラインの接続を示す。
【図９】組み立てられた主ストラットトップと第２のインサートとを含む第２のストラット部分の、第１のインサートとの、主ストラットを折り返すような形での枢動接続を示し、及び、主ストラットキャップへのバックステイストラップ部分材の取付けを示す。
【図１０】掛け回されたジブ巻上げラインを繰り出しながら行われる、主ストラットキャップ及びバックステイストラップの部分材の引上げを示す。
【図１１】主ストラットキャップの降下、及びバックステイストラップの部分材の、ブームの下端に接続されたバックステイストラップのさらなる部分材とのピン固定を示す。
【図１２】主ストラットのストラットトップとの主ストラットキャップの接続を示す。
【図１３】主ストラットのストラットトップとの主ストラットキャップの接続を示す。
【図１４】主ストラットのストラットトップとの主ストラットキャップの接続を示す。
【図１５】主ストラットトップを、そこに取り付けられた持上げ用ペンダントと共に引き上げながら索具取付けウインチラインを引き込むことにより、折り畳み式主ストラットを閉じ、それによって起伏ジブストラットの組み立てを完了するところを示す。
【発明を実施するための形態】
【０００８】
ここで、本開示がさらに説明される。以下の節では、本開示の種々の態様がさらに詳細に定義される。そのように定義される各態様は、明確にそれに反する旨が示されない限り、任意の他の１つ又は複数の態様と組み合わされてもよい。特に、好ましい、又は有利であるとして示される任意の特徴が、好ましい、又は有利であるとして示される任意の他の１つ又は複数の特徴と組み合わされてもよい。
【０００９】
本明細書及び特許請求の範囲において使用されるいくつかの用語は、以下のとおり定義される意味を有する。
【００１０】
用語「ストラットキャップ」は、全体としてジブ巻上げラインの複数の部分間に張力を分散させる働きをするように支持構造体に一体に固定されたシーブの装置を意味する。ストラットキャップは対で機能する。第１のストラットキャップ及び第２のストラットキャップの各々はいくつものシーブを備え、それらにはワイヤロープが掛け回される。本開示では、対の各ストラットキャップは、通常のクレーン動作中、起伏ジブストラットの一方の上端に接続される。
【００１１】
用語「ジブ主ストラット」、又は単に「主ストラット」は、ブームのより下方の位置に接続される起伏ジブストラットを意味する。主ストラットの端部からブームの下端に接続される少なくとも１つのバックステイストラップにより、主ストラットとブームとの間が固定角度に維持される。折り畳み式起伏ジブストラットの立ち上げについて考察するときに本開示が参照するのは、この主ストラットである。
【００１２】
用語「ジブストラット」は、ブームにおいてより高いところ（例えば、その上端）、及び起伏ジブの下端、或いはそのどちらか一方に接続される起伏ジブストラットを意味する。ジブストラットの端部から起伏ジブの上端に接続される少なくとも１つのジブ支持ストラップにより、ジブストラットと起伏ジブとの間が固定角度に維持される。
【００１３】
用語「ジブ巻上げドラム」は、２本の起伏ジブストラット（主ストラットとジブストラットと）の間の角度を制御するために用いられる索線を巻き取ったり、繰り出したりするために使用されるウインチを意味する。ジブ巻上げドラムは、ジブ巻上げラインが巻回される円筒形本体、並びに円筒形本体の回転を制御するための機械式及び油圧式制御装置を備える。
【００１４】
用語「ジブ巻上げドラムフレーム」は、ジブ巻上げドラムの構成要素を一体に保持し、必要であればそれらを他のクレーン構成要素に装着するために使用される構造を意味する。また、他の構成要素がフレームに装着されることもある。用語「装着された」は、構成要素が、それを装着する構造に対し動かないようにすることを含む。しかしながら、用語「フレーム」は、ドラムに適度に近いサイズの、上記に列挙された目的に使用される構造を意味するように意図される。従って、クレーンの別の主構成要素として使用される構造、又はドラムの円筒形部分の長さの２倍を上回るか、若しくはドラムの直径の２倍を上回る構造は、ドラムのフレームの一部であるとは見なされない。
【００１５】
用語「ストラットストッパ」は、起伏ジブの後方への倒回を防止するために使用される構造を意味し、ジブ主ストラットとブームとの間に接続される。ストラットストッパは、少なくとも１つのバックステイストラップと協働することによりジブ主ストラットとブームとの間を固定角度に保ち、従ってジブストラットがブームに向かって回転し過ぎることを防止する。
【００１６】
用語として「ピン固定された」（及び「ピン固定している」などのその変形）は、構成要素間で力を移動させることが可能で、且つ分解が容易な接続も可能とする構成要素間の接続を意味するように意図される。最も典型的には、ピン固定された接続は、２つの接続された構造体中の孔を挿通するピンにかかる剪断力によって力を移動させるものである。この用語が本明細書で使用されるときの「ピン固定された」接続を行うには、ピンに加え、ボルトを使用することができる。
【００１７】
本開示は、多くの種類のクレーンに対する適用性を有するが、動作時の構成で図１に示される移動式リフトクレーン１０に関連して説明するものとする。移動式リフトクレーン１０は、カーボディ１２とも称される下部体と、クローラ１４及び１６の形態の可動地面係合部材とを備える。２つのフロントクローラ１４と２つのリアクローラ１６とがあり、図１の側面図では、そのうち各１つしか見ることができない。クレーン１０では、地面係合部材は、各側に１つのクローラの、一組だけのクローラであってもよい。当然ながら、図示されるものに追加されるクローラを使用することができ、さらには、タイヤなどの他のタイプの地面係合部材を使用することもできる。
【００１８】
回転台２０が、地面係合部材に対して旋回することができるようにカーボディ１２に回転自在に接続される。回転台は、旋回リングによってカーボディ１２に装着され、従って回転台２０は、地面係合部材１４、１６に対して軸を中心に旋回することができる。回転台は、回転台の前部に枢動自在に装着されたブーム２２と；その第１の端部で回転台に装着されたマスト２８であって、下部イコライザ４７がマストの第２の端部に隣接してマストに接続された、マスト２８と；マスト２８と回転台２０の後部分との間に接続されたバックヒッチ３０と；可動カウンタウェイトユニット３４とを支持する。カウンタウェイトユニット３４で使用されるカウンタウェイトは、個々のカウンタウェイト部材（又はブロック）４４が支持部材上に複数積層された形態であり得る。
【００１９】
マスト２８の上端とブーム２２との間のブーム巻上げ索具（以下でさらに詳細に説明される）を用いてブーム角度を制御し、荷重を移動させることにより、カウンタウェイトを利用して、クレーンによって吊り上げられる荷重のバランスをとることができる。荷重巻上げライン２４は、ブーム２２のプーリに掛けられ、フック２６を支持する。他端では、荷重巻上げラインは、回転台に接続された第１の荷重巻上げ主ドラム７０に巻回され、これは以下でさらに詳細に説明される。回転台２０は、移動式リフトクレーンに一般的に存在する他の要素、例えば、運転室、ブーム巻上げ索具用の巻上げドラム５０、第２の巻上げ主ドラム８０、及び補巻き索線用の荷重巻上げ補助ドラム９０などを備え、これらも同様に以下でさらに詳細に説明される。
【００２０】
図１に示されるとおり、ブーム２２は、主ブーム２２の上端に枢動自在に装着された起伏ジブ２３を備える。クレーンはまた、本明細書でそれぞれジブストラット及び主ストラットとも称される第１のジブストラット２７及び第２のジブストラット２９も備え、さらに、関連する起伏ジブ索具及び起伏ジブ巻上げドラム１００も備える。起伏ジブ巻上げドラム１００は、図示される実施形態では、回転台２０のフロントローラキャリアに装着される。他の実施形態において、起伏ジブ巻上げドラムは、主ブーム１００、マスト２８、又は回転台２０に装着される別の構造に取り付けられてもよい。起伏ジブ巻上げライン１９が、ドラム１００から１つ又は複数のワイヤガイド１８を通り、ジブストラット２７と主ストラット２９との間の角度を制御する索具装置まで渡される。一実施形態において、起伏ジブ巻上げライン１９は、厚さが約３４ｍｍのワイヤロープである。ストラット間の角度を制御する索具装置は第１のストラットキャップ３１及び第２のストラットキャップ３１を備え、各々は、それぞれ第１のストラット２７及び第２のストラット２９に取り付けられる。ジブ巻上げライン１９は、第１のストラットキャップ３１及び第２のストラットキャップ３１のシーブに掛け回される。ストラットのストラットキャップ３１は、ある実施形態において取外し可能である。起伏ジブ巻上げライン１９は、ストラットキャップ３１のいずれか、又は第１のストラット２７及び第２のストラット２９の一方で終端となる。
【００２１】
主ストラット２９の端部、例えばそのキャップと、ブーム２２の下端との間に、２本のバックステイストラップ３３Ａが接続される。これらのバックステイストラップは、複数の固定長の部分材から作製される。部分材の数及び各部分材の長さを選択することにより、異なるブーム長さに対応して、主ストラット２９とブーム２２との間に形成される固定角度の三角形の斜辺を変化させることができる。バックステイストラップ３３Ａの長さを変化させることにより、ブームの各長さについて主ストラット２９とブーム２２との間を、クレーンの設計どおりの一定の角度に維持し得る。
【００２２】
同様に、ジブストラット２７の端部と起伏ジブ２３の上端に隣接したところとの間に、それらの間を一定の角度に維持するため、ジブ支持ストラップ３３Ｂの部分材が接続され得る。説明されるとおりジブ支持ストラップ３３Ｂを用いることにより、起伏ジブ巻上げライン１９を繰り出したり、又は引き込んだりすることで、第１のジブストラット２７と第２のジブストラット２９との間の角度だけを大きくしたり、又は小さくしたりすることができる。さらに、主ストラット２９とブーム２２との間にストラットストッパ３５が接続され、ジブに荷重がなく、主ストラットを引き上げる力が主ストラットを引き下ろす力より小さい場合に、主ストラット２９に支持を提供する。
【００２３】
バックヒッチ３０は、マスト２８の上端に隣接して、但し、マストに接続される他の構成品を妨害しないようにマストの下方に十分離して接続される。バックヒッチ３０は、図１に示されるとおり、圧縮荷重及び引張荷重の双方を支えるように設計されたラチス部材を含み得る。クレーン１０では、マスト２８は、つかみ上げ、移動させて、置く動作などのクレーンの動作中、回転台２０に対して固定角度に保たれる。
【００２４】
カウンタウェイトユニット３４は、回転台２０の残りの部分に対して移動可能である。マストの上端に隣接して接続された引張部材３２が、カウンタウェイトユニットを懸垂式に支持する。回転台とカウンタウェイトユニットとの間にカウンタウェイト移動構造が接続され、それによりカウンタウェイトユニットを、マストの上端より前方の第１の位置まで移動させてそこに保持し、及びマストの上端より後方の第２の位置まで移動させてそこに保持することができ、これは、米国特許出願第１２／０２３，９０２号にさらに詳しく説明されている。
【００２５】
クレーン１０のカウンタウェイト移動構造においては、少なくとも１つの線形駆動装置３６、例えば、油圧シリンダか、或いはラックピニオンアセンブリと、第１の端部で回転台に、且つ第２の端部で線形駆動装置３６に枢動自在に接続された少なくとも１本のアームとを使用して、カウンタウェイトの位置が変えられる。アーム及び線形駆動装置３６は回転台とカウンタウェイトユニットとの間に接続され、従って線形駆動装置３６の伸縮によって、カウンタウェイトユニットの回転台に対する位置が変わる。図１は、カウンタウェイトユニットのその最前方位置を示すが、線形駆動装置３６は部分的又は完全に拡がることができ、それにより、フック２６から荷重が吊り下げられるときなどに、カウンタウェイトユニットは中央及び後方の位置に、又は任意の中間位置に動く。
【００２６】
カウンタウェイト移動構造の好ましい実施形態において、回転台２０と線形駆動装置３６の第２の端部との間に枢動フレーム４０が接続され、これは中実の溶接プレート構造であり得る。枢動フレーム４０とカウンタウェイトユニット３４との間には後部アーム３８が接続される。後部アーム３８もまた溶接プレート構造であり、枢動フレーム４０に接続する端部に傾斜部分３９を有する。これにより、アーム３８を枢動フレーム４０と一列に直接接続することが可能となる。バックヒッチ３０は、脚が下方に拡がったＡ字形構成を有し、必要に応じてカウンタウェイト移動構造を脚の間に通すことができる。
【００２７】
クレーン１０にはカウンタウェイト支持システム４６が装備され、国によっては、これはクレーンに関する規制に準拠することが求められ得る。カウンタウェイト移動構造及びカウンタウェイト支持構造は、米国特許出願第１２／０２３，９０２号にさらに詳しく開示されている。
【００２８】
ブーム巻上げ索具装置は、ワイヤロープ２５の形態のブーム巻上げラインを備え、これは、ブーム巻上げドラム５０に巻回され、下部イコライザ４７及び上部イコライザ４８のシーブに掛け回される。ブーム巻上げドラムは、回転台に接続されたフレーム６０（図２）に装着される。索具装置はまた、ブーム上端と上部イコライザ４８との間に接続された固定長のペンダント２１も備える。下部イコライザ４７は、マスト２８を介して回転台２０に接続される。この構成により、ブーム巻上げドラム５０を回転させると下部イコライザ４７と上部イコライザ４８との間のブーム巻上げライン２５の長さが変化し、それにより回転台２０とブーム２２との間の角度を変えることが可能となる。
【００２９】
ブーム巻上げドラムフレーム６０、下部イコライザ４７及び上部イコライザ４８は、各々、協働する取付け構造を備え、それにより下部イコライザ及び上部イコライザをブーム巻上げドラムフレームに取外し可能に接続することができるため、ブーム巻上げドラムと、下部イコライザと、上部イコライザと、ブーム巻上げラインとを、合体したアセンブリとして輸送することができる。合体したブーム巻上げドラム５０と、フレーム６０と、下部イコライザ４７と、上部イコライザ４８とは、作業現場間の輸送用となり得るように構成され、これは、米国特許出願第６１／０９８，６３２号に説明されている。
【００３０】
上述のとおり、好ましい実施形態において、クレーンは４つのドラムを備え、その各々はフレームに装着され、積層された構成で回転台に接続される。（回転台は、主フレーム並びにフロント及びリアローラキャリアを備える）。ジブ巻上げドラムは、フロントローラキャリアの前面に取り付けられたフレームに装着される。４つの積層されたドラムのうちの２つのフレームは回転台に直接接続され、一方、残りの２つのドラムのフレームは、回転台に直接接続された２つのドラムフレームの少なくとも１つと直接接続されることによって、回転台に間接的に接続される。この場合、４つの積層されたドラムは、好ましくは、荷重巻上げライン２４が巻回される第１の荷重巻上げ主ドラム７０と、荷重巻上げライン１７が巻回される第２の荷重巻上げ主ドラム８０と、補巻きライン１３が巻回される荷重巻上げ補助ドラム９０と、ブーム巻上げライン２５が巻回されるブーム巻上げドラム５０とである。好ましくは、荷重巻上げ補助ドラム９０のフレーム９１及び第２の荷重巻上げ主ドラム８０のフレーム８１が回転台に直接接続され（フレーム９１はその前部でフロントローラキャリアにピン固定される）、第１の荷重巻上げ主ドラム７０のフレーム７１がフレーム８１及び９１の双方に接続され、一方、ブーム巻上げドラム５０のフレーム６０がフレーム８１に接続される。この点について、従ってブーム巻上げドラムフレーム６０は、第２の荷重巻上げ主ドラムフレーム８１の上に積層されて直接ピン固定され、第１の荷重巻上げ主ドラムフレーム７１は荷重巻上げ補助ドラムフレーム９１の上に積層されて直接ピン固定される。ドラムフレームは着脱可能なピンによって回転台と、及び互いに接続され、そのためフレームは回転台と切り離して別々に輸送することが可能である。
【００３１】
第６のドラムとして索具取付けウインチドラム１１０が挙げられ、そこには索具取付けウインチライン１１１が巻回される。索具取付けウインチドラム１１０は回転台２０の下部分に取り付けられ、他のドラムより軽量である。索具取付けウインチライン１１１は、一実施形態において、クレーンの組み立てを補助するために一般的に用いられる１９ｍｍのウインチラインであってもよい。本明細書では、索具取付けウインチライン１１１は、ストラットキャップ３１のシーブの掛け回しの迅速化、及び主ストラット２９の組立てを補助するために用いられる。
【００３２】
ストラットキャップ３１は、対として一体に掛け回されたまま作業現場間を輸送され得る。この構想のいくつかの異なる実施形態のうち３つの実施形態が、図３〜図５に示される。ストラットキャップ３１は、一体に掛け回され、場合によってはジブストラット２７、２９の一方に取り付けられているとき、輸送が容易となり、且つクレーンを組み立てる間、ジブストラット２７、２９に関する用途に用いることができる。第１の実施形態が図３に示され、ここでは、一対の取り外されたストラットキャップ３１に起伏ジブ巻上げライン１９が掛け回され、起伏ジブ巻上げドラム１００と共に輸送される。第２の実施形態が図４に示され、ここでは、一対の取り付けられたストラットキャップ３１が一体に掛け回され、起伏ジブストラット２７、２９の一方に取り付けられている。第３の実施形態が図５に示され、ここでは、双方のストラットキャップ３１が起伏ジブストラットの端部に取り付けられ、一体に掛け回されたままの状態にある。
【００３３】
より詳細には、図３は、起伏ジブ巻上げライン１９が掛け回された一対の取り外されたストラットキャップ３１を示し、ここで起伏ジブ巻上げライン１９は引き込まれているため、ストラットキャップ３１はジブ巻上げドラム１００と同じキャリアで輸送され得る。ある実施形態において、ストラットキャップ３１は、それらが一体に掛け回されたままの状態であるよう互いに隣接して輸送される。図３の実施形態では、ジブ巻上げライン１９はブーム２２のワイヤガイド１８から、そこを通り抜けることなく引き込まれ、従って、分解及び組立中にストラットキャップ２７、２９のシーブを掛け外し、その後に再度掛け回す必要が回避される。従って、ブーム２２に取り付けられた任意のワイヤガイド１８は、取外し可能な（又はヒンジ機構の）部分を伴い構成され、それによりジブ巻上げライン１９をその取外し可能な部分から直接、速やかに外すことができるようにされる。
【００３４】
各ストラットキャップ３１は、記載されるとおり、複数のシーブを備え、また、各々が貫通開口１１５を有する一対のサイドブラケット１１４も備える。さらに、各ストラットキャップ３１は、各々が貫通開口を有する第１の突出部１１６と第２の突出部１１８とを備える。突出部１１６、１１８は、ストラットキャップを、別のストラットキャップ、ジブストラット２７若しくは主ストラット２９、又はジブ巻上げドラム１００のフレームに取り付けるために用いられ得る。これらの取付けは、ピン固定によって行われ得る。例えば、図３には、第１の突出部１１６を介してストラットキャップ３１を互いに接続するためのピンが示される。図３は、このように取り付けられたストラットキャップ３１を示すが、輸送に際してストラットキャップ３１はなお一体に掛け回されているため、取り付けられる必要がなく、掛け回されたままの状態であるよう互いに隣接しているだけでよい。さらに、第１の突出部１１６若しくは第２の突出部１１８、又はブラケット１１４は、輸送に際してストラットキャップ３１をジブ巻上げドラム１００のフレームに取り付けるために用いられ得る。或いは、キャップは索具取付けウインチドラム１１０と共に輸送されてもよく、この場合、索具取付けウインチライン１１１がストラットキャップ３１のシーブに掛け回され得る。
【００３５】
図４は、ストラットキャップの輸送の代替的実施形態を示し、この場合、ストラットキャップ３１の一方が、ジブストラット２７又は主ストラット２９の一方の端部に取り付けられる。本明細書に開示される組立及び分解の実施形態に関連して説明されるとおり、好ましい実施形態では、このストラットがジブ（又は第１の）ストラット２７であり、図中の接続されていないストラットキャップ３１が、主（又は第２の）ストラット２９のものとされる。輸送中にストラットキャップ３１が一体に掛け回されたままの状態とするため、クレーンの分解中、補助（又は第１の）ライン１１９がストラットキャップ３１のシーブに掛け回され得る。補助ライン１１９は他より短い部品であるが、ストラットキャップ３１のシーブに掛け回すには十分な長さであり、ストラットキャップの一方か、又はストラットを終端とする。補助ライン１１９は、索具取付けウインチドラム１１０のものと同様に１９ｍｍの索線であってもよく、単体部品のワイヤロープか、又は同様に索具取付けウインチドラム１１０に接続された索具装置ラインであってもよい。
【００３６】
ストラットキャップ３１への補助ライン１１９の掛け回しは、起伏ジブ巻上げライン１９の終端を取り外し、それを補助ラインに取り付けることによって行われ得る。このような２本のラインの互いの取付けはシンブル（図示せず）によって行われ、このシンブルは、起伏ジブ巻上げライン１９の端部に取り付けられる孔を有する。１９ｍｍの索線は、孔を有する楔形の二股の端部を備え、それらの孔は、次に２本の索線を互いにピン固定できるようにシンブル上に配置され得る。この構成は、２本の索線を互いに固定して取り付けるために一般的に用いられるいくつかの方法のなかの１つである。起伏ジブ巻上げライン１９は、補助ライン１１９に取り付けられると、補助ライン１１９がストラットキャップのシーブに掛け回されるまで、ジブ巻上げドラム１００内に引き込まれる。次に起伏ジブ巻上げライン１９が補助ライン１１９から取り外され、輸送のため残りの部分がそのドラム１００の中に引き込まれる。補助ライン１１９は、ストラットキャップの一方又はストラットを終端とし得るが、そうである必要はなく、及びストラットキャップ３１は、互いに取り付けられても、又は取り付けられなくともよい。次に、補助ライン１１９を掛け回されたストラットキャップ３１が取り付けられたジブストラット２７又は主ストラット２９が、アセンブリとして輸送され得る。
【００３７】
図５は、図４に示される実施形態の代替的実施形態を示し、ジブストラット２７又は主ストラット２９に取り付けられたストラットキャップが取外し不可能であり、及び取り外されたストラットキャップ３１が、取外し不可能なストラットキャップ３１の近傍で、それらがなお一体に掛け回され得るようにストラットのストラットトップに取り付けられている点が異なる。この実施形態において、ブラケット１１４の他にも支持を追加するため、突出部１１８がストラットに取り付けられ得る。前と同じく、好ましい実施形態では、このストラットがジブ（又は第１の）ストラット２７であり、このときクレーンの分解中に分解されるのは主ストラット２９である。図４又は図５のいずれの実施形態においても、分解又は組立中には支持スタンド１２２がストラットの下に配置され得る。
【００３８】
作業現場に到着後、図６に示される位置までクレーン１０を立設することができ、これには、ブーム２２の端部に対するジブストラット２７の取付けが含まれる。ブーム２２の下に支持体１２３が展開され、ブームの下側に索具取付けウインチライン１１１及びジブ巻上げライン１９のための間隙を提供し得る。図３〜図５のなかでどの実施形態がストラットキャップ３１の輸送に用いられるかによって、組立ては多少異なり得る。しかしながら、目的は、ジブ巻上げライン１９がストラットキャップ３１のシーブにまだ掛け回されていないならば、それを掛け回すことである。例えば、図３に示される第１の実施形態が輸送に用いられる場合、ジブストラット２７がブームの上端に接続されると、次にストラットキャップ３１をジブ巻上げドラム１００から引き離すだけでよく、この間、ジブ巻上げライン１９を繰り出し、それによりジブ巻上げライン１９に弛みを設けることで、ジブストラット２７にそのストラットキャップ３１を取り付け得る。
【００３９】
図４又は図５に示される実施形態の場合、輸送のため補助ライン１１９がストラットキャップ３１に掛け回されたので、それを使用してストラットキャップのシーブに別のラインが迅速に掛け回され得る。例えば、第２の実施形態（図示せず）では、索具取付けウインチライン１１１が補助ライン１１９の一方の端部に、及びジブ巻上げライン１９が他方の端部に接続され得る。次に、補助ラインが取り出され、ジブ巻上げライン１９がストラットキャップのシーブに掛け回されるまで、索具取付けウインチライン１１１がドラム１１０に引き込まれる。次に、索具取付けウインチライン１１１は切り離し、以下で考察される後のステップで再び使用されるまで、引き込んで片付けておくことができる。補助ライン１１９もまた、取り払われるものの、クレーンの使用後にストラットキャップ３１の輸送準備が整ったとき、こうしたステップを逆に行うために再び用いることができる。第３の実施形態では、前と同じくジブ巻上げライン１９が補助ライン１１９の端部に接続されるが、補助ライン１１９の他方の端部には補助クレーンライン１２４が接続され得る。補助クレーンがそのライン１２４を引き上げ、そのようにして補助ライン１１９が取り出される一方、そこにジブ巻上げライン１９が掛け回される。
【００４０】
図７は、主ストラット２９のうち、組み立てられた主ストラット突合せ部１２６と第１のインサート１２７とを含む第１のストラット部分の、ブームの上端との枢動接続を示す。ブーム２２との取付け位置は重要ではないが、ジブストラット２７の取付け箇所からいくらか離れた箇所であり得る。主ストラット２９が組み立てられる間、ジブ巻上げライン１９は、それがこのプロセスの邪魔にならないよう、一時的にジブストラット２７の側部に退けた位置に置かれ得る。
【００４１】
図８は、ブーム２２と主ストラット突合せ部１２６との間へのストラットストッパ３５の取付けを示す。ストラットストッパ３５は、主ストラット突合せ部１２６の上端に取り付ける際にはテレスコープ式に伸びるが、主ストラット２９が閉鎖位置（図１５）まで引き上げられると、より短い位置に縮むように構成される。索具取付けウインチライン１１１が主ストラット２９の第１のインサート１２７の上端に接続される。
【００４２】
図９は、組み立てられた主ストラットトップ１２８と第２のインサート１２９とを含む第２のストラット部分の、第１のインサート１２７との、主ストラット２９を折り返すような形での枢動接続を示す。ブーム２２の高さに応じて、バックステイストラップ３３Ａのいくつかの部分材が主ストラットキャップ３１にピン固定される。例えば、ブームの下端にピン固定されるバックステイストラップ３３Ａの部分材の数は一定に保たれてもよく、主ストラットキャップ３１にピン固定されるバックステイストラップ３３Ａの部分材の数が、ブーム長さを変化させるために必要な長さに従い選択されてもよい。開示される実施形態は、主ストラット２９とブーム２２との間を、９０度を少しだけ下回る角度などの一定の角度に維持しようとしていることを念頭に置かれたい。また、図９では、ジブ巻上げライン１９は、主ストラットキャップ３１の空中への引上げに備え、折り畳まれた主ストラット２９の上面にかかるよう持ち上げられている。
【００４３】
図１０は、掛け回されたジブ巻上げライン１９を繰り出しながら行われる、主ストラットキャップ３１及びバックステイストラップ３３の引上げを示す。ジブ巻上げライン１９を繰り出すと、図１１に示されるとおり、主ストラットキャップ３１（バックステイストラップ３３Ａの部分材を含む）を主ストラット１２９のストラットトップ１２８まで降下させ得るような弛みがもたらされる。主ストラットキャップ３１に固定されたバックステイストラップ３３Ａの部分材は、ブーム２２の下端に接続されたバックステイストラップ３３Ａの部分材とピン固定され、それによりストラット２９とブーム２２との間に一連の剛性のバックステイストラップ３３が完成する（図１５）。
【００４４】
次に、図１２〜図１４に示されるとおり、主ストラットキャップ３１が主ストラット１２９の上端に取り付けられ（ピン固定され）、これは、ブラケット１１４の一方を使用して主ストラットキャップ３１の片側が取り付けられ、次にストラットキャップが他方のブラケット１１４の側に枢動され、もう一方の側が取り付けられる。主ストラットキャップ３１を枢動させる間、バックステイストラップはストラットトップ１２８の下側、ストラットストッパ３５の上側に配置され、及び必要に応じて、ストラットキャップ３１に掛け回された索線の過剰な弛みを巻き取るため、ジブ巻上げライン１９が引き寄せられる。バックステイストラップ３３Ａの部分材−ブームの下端に取り付けられたものと、主ストラットキャップに取り付けられたものと−は、主ストラットキャップ３１が主ストラット２９に取り付けられた前であっても、又はその後であっても、一体にピン固定し得ることに留意されたい。
【００４５】
図１５は、主ストラットトップ１２８及び主ストラットキャップ３１を引き上げながら索具取付けウインチライン１１１を引き込むところを示す。持上げ用ペンダント１３０、又は剛性のポールがストラットトップ１２８又は主ストラットキャップ３１にピン固定されてもよく、これは、格納形態では主ストラット２９に取り付けられるよう枢動可能で、起立形態では、補助クレーン（図示せず）に接続するため引き起こし得る。索具取付けウインチライン１１を索具取付けウインチドラム１１０に引き入れながら、補助クレーンが持上げ用ペンダント１３０を真上に引き上げてもよく、それにより第１のインサート１２７の側部と第２のインサート１２９の側部とが互いに整列して一体となり、このとき主ストラット２９は直線状となって閉鎖される。従って、補助クレーンは移動しなくともよく、及び起伏ジブストラットの組立てが簡略化される。
【００４６】
次に、ストラットインサート１２７、１２９の他方の側部が互いにピン固定され、ジブ主ストラット２９の組立てが完了し得る。索具取付けウインチライン１１１が切り離され、補助クレーンも同様に持上げ用ペンダント１３０から切り離される。クレーン１０の動作中に格納するため、持上げ用ペンダントは主ストラット２９に取り付けられる。ここでジブ巻上げライン１９を引き込んでジブストラット２７を地面から引き離してもよく、それによりブーム２２の端部に、そこに起伏ジブ２３を取り付けるための地面に対する空間が生じる。図示されないが、起伏ジブ２３の上端とジブ（又は第１の）ストラット２７の端部との間にジブ支持ストラップ３３Ｂの部分材がピン固定される。従って、ジブストラット２７を地面から引き離す前に、ジブ支持ストラップ３３Ｂの初めのいくつかの部分材をジブストラットキャップ３１に接続することで、起伏ジブ２３の端部にピン固定されたジブ支持ストラップの残りの部分材に対するジブ支持ストラップの初めのいくつかの部分材のピン固定を容易にすることができる。
【００４７】
当業者には、本明細書に記載される好ましい本実施形態に対する様々な変更及び修正が明らかであろうことは理解されなければならない。例えば、ストラットキャップの１つ又は複数は着脱可能とされなくともよい。さらに、ジブストラット間の索線は剛性とされ、その一方で、ブームと、それぞれ主ストラット及びジブストラットとの間の角度の一方を、掛け回されたジブ巻上げラインによって変更可能とし、それにより起伏ジブをどれだけ上昇及び降下させるかをいくらか変化させてもよい。クレーンの輸送及びストラットの組立又は分解の特定のステップは、異なる順序で実施されてもよい；従って、添付の特許請求の範囲に挙げられるかかる方法ステップのいかなる順序も、特許請求の範囲の記載によって特に要求されない限り、必須の順序であることは含意しない。かかる変更及び修正は、本発明の趣旨及び範囲から逸脱することなく、且つ、その意図される利点を損なうことなく行うことができる。従って、かかる変更及び修正は、添付の特許請求の範囲に包含されることが意図される。
【図１】
2010241604.tif 000003
【図２】
2010241604.tif 000004
【図３】
2010241604.tif 000005
【図４】
2010241604.tif 000006
【図５】
2010241604.tif 000007
【図６】
2010241604.tif 000008
【図７】
2010241604.tif 000009
【図８】
2010241604.tif 000010
【図９】
2010241604.tif 000011
【図１０】
2010241604.tif 000012
【図１１】
2010241604.tif 000013
【図１２】
2010241604.tif 000014
【図１３】
2010241604.tif 000015
【図１４】
2010241604.tif 000016
【図１５】
2010241604.tif 000017
【外国語明細書】
2010241604000001.pdf